(57)【要約】【課題】  エプロン兼用とした日除け用の首カバー部としての着脱可能な防暑用カバー体を備えた帽子を提供する。【解決手段】  頭部を覆う帽子本体２と、首後部を覆うエプロン兼用の防暑用カバー体３と、防暑用カバー体３を帽子本体２から外してエプロンとして使用可能にすべく当該帽子本体２に対し防暑用カバー体３を着脱可能とする止着手段４とを備える。止着手段４は、帽子本体２に付設されたボタン部４１Ａと、ボタン部４１Ｂを挿入するよう防暑用カバー体３に形成されたスリット部４１Ｂとによって構成する。また防暑用カバー体３の左右両縁部もしくは周縁部には形状保持部材６を内装する。防暑用カバー体３は、所定の絵柄とこれに対応した外形状に形成し、またエプロンの首紐として使用可能な蝶結びにして成る装飾用のリボン体５を設ける。【選択図】      図１
0003109511.tif 000002
【実用新案登録請求の範囲】
【請求項１】
頭部を覆う帽子本体と、首後部を覆うエプロン兼用の防暑用カバー体と、防暑用カバー体を帽子本体から外してエプロンとして使用可能にすべく当該帽子本体に対し防暑用カバー体を着脱可能とする止着手段とを備えたことを特徴とする帽子。
【請求項２】
止着手段は、帽子本体に付設されたボタン部と、ボタン部を挿入するよう防暑用カバー体に形成されたスリット部とによって構成した請求項１記載の帽子。
【請求項３】
止着手段は、帽子本体に付設された雄側（雌側）面ファスナー部と、雄側（雌側）面ファスナー部を貼着させるよう防暑用カバー体に付設された雌側（雄側）面ファスナー部とによって構成した請求項１記載の帽子。
【請求項４】
止着手段は、帽子本体、防暑用カバー体それぞれに付設された互いに噛合可能なジッパー部によって構成した請求項１記載の帽子。
【請求項５】
防暑用カバー体の左右両縁部もしくは周縁部には塑性変形可能な形状保持部材が内装されている請求項１乃至４のいずれか記載の帽子。
【請求項６】
防暑用カバー体は、動物、乗り物、漫画のキャラクタ等の絵柄とこれに対応した外形状に形成して成る請求項１乃至５のいずれか記載の帽子。
【請求項７】
防暑用カバー体にはエプロンの首紐として使用可能な蝶結びにして成る装飾用のリボン体を備えた請求項１乃至６のいずれか記載の帽子。
【考案の詳細な説明】
【技術分野】
【０００１】
本考案は、主として乳幼児から幼稚園児にいたる幼児、更には児童、老人その他に使用される日除け防止可能とした帽子に関する。
【背景技術】
【０００２】
従来の日除け防止用の帽子としては、例えば特許文献１に開示されているように、遮光部材によるクラウン部と首カバー部とを一体に連繋して成る主として農作業に使用されるものがある。また、従来のエプロンとしては、特許文献２に開示されているように、乳児用ナプキンを粘着テープによって市販の乳児用エプロンに接着して成るナプキン付きエプロンがある。さらに、特許文献３に開示されているように、エプロンを延長させることでテーブルクロスと一体化させ、エプロンの両側縁から中央方向に複数の折曲部を設けることで中央近傍を撓ませ湾曲可能にしたテーブルクロス付きエプロンがある。
【特許文献１】特開２００３−１６６１１０号公報
【特許文献２】特開平１０−２３７７１２号公報
【特許文献３】特開２００２−１３８３１０号公報
【考案の開示】
【考案が解決しようとする課題】
【０００３】
しかしながら、これらの従来における日除け防止用の帽子は、クラウン部と首カバー部とを一体に連繋して成るので、首カバー部自体を取り外してエプロンとして使用できるものではない。また、従来におけるエプロンは、テーブルクロス付きのものやナプキン付きのものがあるが、これらのエプロンは帽子の首カバー部として使用できるものではない。すなわち、従来においては、エプロン兼用とした着脱可能な日除け用の首カバー部を備えた帽子が存在しないのであった。
【０００４】
そこで本考案は叙上のような従来存した諸事情に鑑み創出されたもので、エプロン兼用とした日除け用の首カバー部としての着脱可能な防暑用カバー体を備えた帽子を提供することを目的とする。
【課題を解決するための手段】
【０００５】
上述した課題を解決するため、本考案にあっては、頭部を覆う帽子本体２と、首後部を覆うエプロン兼用の防暑用カバー体３と、防暑用カバー体３を帽子本体２から外してエプロンとして使用可能にすべく当該帽子本体２に対し防暑用カバー体３を着脱可能とする止着手段４とを備えた帽子１としたものである。
第１の止着手段４は、帽子本体２に付設されたボタン部４１Ａと、ボタン部４１Ａを挿入するよう防暑用カバー体３に形成されたスリット部４１Ｂとによって構成することができる。
第２の止着手段４は、帽子本体２に付設された雄側（雌側）面ファスナー部４２Ａと、雄側（雌側）面ファスナー部４２Ａを貼着させるよう防暑用カバー体３に付設された雌側（雄側）面ファスナー部４２Ｂとによって構成することができる。
第３の止着手段４は、帽子本体２、防暑用カバー体３それぞれに付設された互いに噛合可能なジッパー部４３Ａ，４３Ｂによって構成することができる。
防暑用カバー体３の左右両縁部もしくは周縁部には塑性変形可能な形状保持部材６が内装されている構成とすることができる。
防暑用カバー体３は、動物、乗り物、漫画のキャラクタ等の絵柄とこれに対応した外形状に形成して成るものとすることができる。
防暑用カバー体３にはエプロンの首紐として使用可能な蝶結びにして成る装飾用のリボン体５を備えることができる。
【０００６】
以上のように構成された本考案に係る帽子１にあって、止着手段４は、エプロン兼用の防暑用カバー体３を帽子本体２から外してエプロンとして使用可能にさせる。
ボタン部４１Ａとスリット部４１Ｂから成る第１の止着手段４は、帽子本体２のボタン部４１Ａを防暑用カバー体３のスリット部４１Ｂに通して止着させた際に、帽子本体２に対する当該防暑用カバー体３の風圧等による離脱を防止させると共に、防暑用カバー体３をエプロンとして使用するに際し、防暑用カバー体３の帽子本体２からの取り外しを容易にさせる。
帽子本体２の雄側（雌側）面ファスナー部４２Ａと防暑用カバー体３の雌側（雄側）面ファスナー部４２Ｂとによる第２の止着手段４は、帽子本体２に対する防暑用カバー体３の着脱を容易にさせる。
帽子本体２、防暑用カバー体３それぞれのジッパー部４３Ａ，４３Ｂによる第３の止着手段４は、互いにジッパー部４３Ａ，４３Ｂ同士を噛合させた際に、日除けとしての機能を有すると同時に帽子本体２に対する当該防暑用カバー体３の風圧等による離脱を防止させる。
防暑用カバー体３の左右両縁部もしくは周縁部における塑性変形可能な形状保持部材６は、帽子本体２に対する防暑用カバー体３の風圧等による不用意な折曲変形を防止させると共に、防暑用カバー体３をエプロンとして使用するに際し、幼児等の胸当保持状態を、例えばエプロンの下部が上方に向けられるように維持可能にさせる。
動物、乗り物、漫画のキャラクタ等の絵柄とこれに応じた外形状を有して成る防暑用カバー体３は、当該防暑用カバー体３をそれ自体の日除け機能として使用したり、防暑用カバー体３をエプロンとして使用したりするに際し、幼児の楽しみを向上させる。
防暑用カバー体３に蝶結びにして成る装飾用のリボン体５は、帽子本体２の装飾性を向上させると共に、防暑用カバー体３をエプロンとして使用する場合にはリボン体５を解いて首紐として使用可能にさせる。
【考案の効果】
【０００７】
本考案によれば、エプロン兼用とした日除け用の首カバー部としての着脱可能な防暑用カバー体３を備えた帽子１を提供でき、日除け用布材とエプロンを別個に用意することなく、兼用のものとして利便性を向上することができ、例えば乳幼児、児童更には介護を要する老人等にも好適なものである。
【０００８】
すなわちこれは本考案が、頭部を覆う帽子本体２と、首後部を覆うエプロン兼用の防暑用カバー体３と、防暑用カバー体３を帽子本体２から外してエプロンとして使用可能にすべく当該帽子本体２に対し防暑用カバー体３を着脱可能とする止着手段４とを備えたからであり、これにより、防暑用カバー体３を帽子本体２から容易に外すことができ、また、防暑用カバー体３自体をエプロンとして使用することができる。
【０００９】
止着手段４の第１は、帽子本体２に付設されたボタン部４１Ａと、ボタン部４１Ａを挿入するよう防暑用カバー体３に形成されたスリット部４１Ｂとによって構成したので、帽子本体２のボタン部４１Ａを防暑用カバー体３のスリット部４１Ｂに通して止着させた際に、帽子本体２に対する当該防暑用カバー体３の風圧等による離脱を防止することができる。また防暑用カバー体３をエプロンとして使用するに際し、当該防暑用カバー体３の帽子本体２からの取り外しが容易なものとなる。
【００１０】
止着手段４の第２は、帽子本体２に付設された雄側（雌側）面ファスナー部４２Ａと、雄側（雌側）面ファスナー部４２Ａを貼着させるよう防暑用カバー体３に付設された雌側（雄側）面ファスナー部４２Ｂとによって構成したので、帽子本体２に対する防暑用カバー体３の着脱操作がワンタッチで行える。
【００１１】
止着手段４の第３は、帽子本体２、防暑用カバー体３それぞれに付設された互いに噛合可能なジッパー部４３Ａ，４３Ｂによって構成したので、当該ジッパー部４３Ａ，４３Ｂの互いの噛合によって、帽子本体２への防暑用カバー体３の止着がしっかりとしたものとなり、これによって帽子本体２に対する当該防暑用カバー体３の風圧等による離脱を防止することができる。
【００１２】
防暑用カバー体３の左右両縁部もしくは周縁部には塑性変形可能な形状保持部材６が内装されているので、帽子本体２に対する防暑用カバー体３自体の風圧等による不用意な折曲変形が防止できると共に、防暑用カバー体３をエプロンとして使用するに際し、幼児等の胸当保持状態を希望とする形状に常に維持しておくことができる。例えば、エプロンの下部が上方に向けられるように湾曲形状に維持しておけば、食事中等において口からこぼれた食べ物を容易に受け止めることができ、これによって例えば幼児の衣服や床面等を汚してしまうのを未然に防止することができる。
【００１３】
防暑用カバー体３は、動物、乗り物、漫画のキャラクタ等の絵柄とこれに対応した外形状に形成して成るので、当該防暑用カバー体３をそれ自体の日除け機能として使用したり、防暑用カバー体３をエプロンとして使用したりするに際し、幼児の楽しみを向上させることができる。
【００１４】
防暑用カバー体３にはエプロンの首紐として使用可能な蝶結びにして成る装飾用のリボン体５を備えたので、帽子本体２の装飾性を向上させると共に、防暑用カバー体３をエプロンとして使用する場合にはリボン体５の結びを解いて首紐として容易に使用することができる。
【００１５】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１６】
以下図面を参照して本考案を実施するための最良の一形態を説明すると、図において示される符号１は、例えば布材等の縫製によって形成された主として幼児等のための帽子であり、当該帽子１は、図１に示すように、周縁部に環状鍔部２Ａを有する帽子本体２と、帽子本体２に対し止着手段４を介して着脱可能とした首後部を覆うための、エプロンを兼用する布製シート状の防暑用カバー体３とから構成されている。
【００１７】
防暑用カバー体３は、その表面に熊・ウサギ・犬・猫等の動物、車・汽車等の乗り物、ミッキーマウス等の漫画のキャラクタ等、種々の絵柄を施し、外形状をこれら絵柄に対応した形状に形成してあり、しかも止着手段４によって帽子本体２から取り外すことでエプロンとして使用可能にしてある。すなわち止着手段４の一つとしては、帽子本体２の側面に縫着された左右一対のボタン部４１Ａと、ボタン部４１Ａそれぞれを挿入するための例えば熊等の動物形態を有する防暑用カバー体３上側の耳部に相当する左右一対の突出部分３Ａそれぞれに形成されたスリット部４１Ｂとによって構成してある。
【００１８】
また、防暑用カバー体３における左右一対の突出部分３Ａそれぞれからは、２本の紐部材のそれぞれ一端が縫着され、これらを蝶結びにして成る装飾用のリボン体５を備えている。このリボン体５は、図２に示すように、防暑用カバー体３をエプロンとして使用するに際し、当該リボン体５の結びを解いて首紐として使用可能にしてある。
【００１９】
さらに、図３に示すように、防暑用カバー体３の左右両縁部には、例えば袋状の縫製部分を形成する等してあり、それらには防暑用カバー体３自体の一定の湾曲形状を保持させておくための塑性変形可能な形状保持部材６がそれぞれ内装されている。これによって、防暑用カバー体３が風圧等によって不用意に折曲変形しようとしても左右一対の形状保持部材６によってこれを阻止できるものとし、しかも防暑用カバー体３をエプロンとして使用するに際し、幼児の胸部において一定の湾曲状態、例えばエプロンの下部が上方に向けられるような湾曲形状（図２中、一点鎖線で示す）に維持できるようにしている。尚、この形状保持部材６は、防暑用カバー体３の周縁部全体にわたって内装されていても良い。  
【００２０】
尚、形状保持部材６としては、例えば三井化学株式会社の商品名「テクノロート」を使用する。この「テクノロート」は、塑性変形性と原形復元性とを備え、塑性変形後の再度の外力によって原形に復元されるもので、ポリエチレンまたはこのポリエチレンと他のポリエチレンとの複合物である芯素材と、この芯素材の成分以外の熱可塑性樹脂材を実質的成分として芯素材を覆う鞘素材との複合延伸物である二重構造によって形成してある。
【００２１】
止着手段４の第２の例としては、図４に示すように、帽子本体２に付設された雄側（雌側）面ファスナー部４２Ａと、雄側（雌側）面ファスナー部４２Ａを貼着させるよう防暑用カバー体３に付設された雌側（雄側）面ファスナー部４２Ｂとによって構成する。すなわち、帽子本体２の側面に左右一対の雄側（雌側）面ファスナー部４２Ａが逢着され、これに対応すべく例えば熊等の動物形態を有する防暑用カバー体３上側の耳部に相当する左右一対の突出部分３Ａそれぞれの裏面には、雄側（雌側）面ファスナー部４２Ａを貼着させるための雌側（雄側）面ファスナー部４２Ｂが逢着されている。
【００２２】
さらに、止着手段４の第３の例としては、図５に示すように、帽子本体２に付設された一方のジッパー部４３Ａと、ジッパー部４３Ａと噛合するよう防暑用カバー体３に付設された他方のジッパー部４３Ｂとによって構成することができる。すなわち、帽子本体２の側面には、横方向に一方のジッパー部４３Ａが逢着され、これに対応すべく例えば熊等の動物形態を有する防暑用カバー体３上側には、一方のジッパー部４３Ａをスライダー部４３Ｃによってスライド噛合させるための他方のジッパー部４３Ｂが逢着されている。
【００２３】
次に、本構成による帽子の使用について説明する。防暑用カバー体３を帽子本体２に装着するに際し、止着手段４における帽子本体２のボタン部４１Ａを防暑用カバー体３のスリット部４１Ｂに通して止着させる（図１参照）。
【００２４】
また装飾用のリボン体５は、防暑用カバー体３における左右一対の突出部分３Ａの間で蝶結び等にしておく。このとき防暑用カバー体３の左右両縁部における形状保持部材６によって、当該防暑用カバー体３自体は風圧等による捲り上がり方向への湾曲変形が防止されている。
【００２５】
一方、防暑用カバー体３を帽子本体２から取り外してエプロンとして使用する場合には、止着手段４における防暑用カバー体３のスリット部４１Ｂから帽子本体２のボタン部４１Ａを抜き外してからリボン体５の蝶結びを解き、このリボン体５自体を首紐として使用すれば良い（図２参照）。このとき、防暑用カバー体３の左右両縁部における形状保持部材６によって、例えばエプロンの下部が上方に向けられるような湾曲形状（図２中、一点鎖線で示す）を維持した状態にする等して幼児の胸部に保持する。
【００２６】
また図６においては防暑用カバー体３の他の実施の形態が示されており、この防暑用カバー体３は、例えば童幼児の頸部を巻回して頸部に装着させるよう、相互に雌雄側の面ファスナー、スナップボタン等の留め具４４Ａ，４４Ｂにて連結可能にした対状の巻回帯部７を、カバー体本体の上部に一体突出状に設けたものである。そして、この防暑用カバー体３における留め具４４Ａ，４４Ｂに対応するように、帽子本体２の背面部等に雌雄側の面ファスナー、スナップボタン等を配することで、帽子本体２に被着させる止着手段４となるようにしてある。こうすることで、またカバー体本体に適当な模様を付すことで、防暑用カバー体３自体をバンダナ風に形成することができる。
【００２７】
いずれにしても、本考案においてはエプロンとなる防暑用カバー体３を帽子本体２に着脱自在に止着できるようにしたものであれば良く、止着手段４の構造、形態、方式等は特に限定されず、また防暑用カバー体３自体の形態、そのエプロンとして使用するときの止着構造等も特に限定されるものではない。
【図面の簡単な説明】
【００２８】
【図１】本考案を実施するための最良の形態における被着状態の斜視図である。
【図２】防暑用カバー体をエプロンとして使用した状態を示す斜視図である。
【図３】防暑用カバー体の平面側から見た断面図である。
【図４】止着手段の第２の例を示す被着状態の斜視図である。
【図５】止着手段の第３の例を示す被着状態の斜視図である。
【図６】防暑用カバー体の他の実施の形態における使用状態の分解斜視図である。
【符号の説明】
【００２９】
１…帽子                                ２…帽子本体
２Ａ…環状鍔部                          ３…防暑用カバー体
３Ａ…突出部分                          ４…止着手段
５…リボン体                            ６…形状保持部材
７…巻回帯部
４１Ａ…ボタン部                        ４１Ｂ…スリット部
４２Ａ…雄側（雌側）面ファスナー部      ４２Ｂ…雌側（雄側）面ファスナー部
４３Ａ，４３Ｂ…ジッパー部              ４３Ｃ…スライダー部
４４Ａ，４４Ｂ…留め具
【図１】
0003109511.tif 000003
【図２】
0003109511.tif 000004
【図３】
0003109511.tif 000005
【図４】
0003109511.tif 000006
【図５】
0003109511.tif 000007
【図６】
0003109511.tif 000008
【手続補正書】
【提出日】平成17年2月1日(2005.2.1)
【手続補正１】
【補正対象書類名】実用新案登録請求の範囲
【補正対象項目名】全文
【補正方法】変更
【補正の内容】
【実用新案登録請求の範囲】
【請求項１】
頭部を覆う帽子本体と、首後部を覆うエプロン兼用の防暑用カバー体と、防暑用カバー体を帽子本体から外してエプロンとして使用可能にすべく当該帽子本体に対し防暑用カバー体を着脱可能とする止着手段とを備えたことを特徴とする帽子。
【請求項２】
止着手段は、帽子本体に付設されたボタン部と、ボタン部を挿入するよう防暑用カバー体に形成されたスリット部とによって構成した請求項１記載の帽子。
【請求項３】
止着手段は、帽子本体に付設された雄側あるいは雌側面ファスナー部と、雄側あるいは雌側面ファスナー部を貼着させるよう防暑用カバー体に付設された雌側あるいは雄側面ファスナー部とによって構成した請求項１記載の帽子。
【請求項４】
止着手段は、帽子本体、防暑用カバー体それぞれに付設された互いに噛合可能なジッパー部によって構成した請求項１記載の帽子。
【請求項５】
防暑用カバー体の左右両縁部もしくは周縁部には塑性変形可能な形状保持部材が内装されている請求項１乃至４のいずれか記載の帽子。
【請求項６】
防暑用カバー体は、動物、乗り物、漫画のキャラクタ等の絵柄とこれに対応した外形状に形成して成る請求項１乃至５のいずれか記載の帽子。
【請求項７】
防暑用カバー体にはエプロンの首紐として使用可能な蝶結びにして成る装飾用のリボン体を備えた請求項１乃至６のいずれか記載の帽子。
【手続補正２】
【補正対象書類名】明細書
【補正対象項目名】０００５
【補正方法】変更
【補正の内容】
【０００５】
上述した課題を解決するため、本考案にあっては、頭部を覆う帽子本体２と、首後部を覆うエプロン兼用の防暑用カバー体３と、防暑用カバー体３を帽子本体２から外してエプロンとして使用可能にすべく当該帽子本体２に対し防暑用カバー体３を着脱可能とする止着手段４とを備えた帽子１としたものである。
第１の止着手段４は、帽子本体２に付設されたボタン部４１Ａと、ボタン部４１Ａを挿入するよう防暑用カバー体３に形成されたスリット部４１Ｂとによって構成することができる。
第２の止着手段４は、帽子本体２に付設された雄側（雌側）面ファスナー部４２Ａすなわち雄側面ファスナー部４２Ａあるいは雌側面ファスナー部４２Ｂと、雄側あるいは雌側面ファスナー部４２Ａ（４２Ｂ）を貼着させるよう防暑用カバー体３に付設された雌側（雄側）面ファスナー部４２Ｂすなわち雌側面ファスナー部４２Ｂあるいは雄側面ファスナー部４２Ａとによって構成することができる。
第３の止着手段４は、帽子本体２、防暑用カバー体３それぞれに付設された互いに噛合可能なジッパー部４３Ａ，４３Ｂによって構成することができる。
防暑用カバー体３の左右両縁部もしくは周縁部には塑性変形可能な形状保持部材６が内装されている構成とすることができる。
防暑用カバー体３は、動物、乗り物、漫画のキャラクタ等の絵柄とこれに対応した外形状に形成して成るものとすることができる。
防暑用カバー体３にはエプロンの首紐として使用可能な蝶結びにして成る装飾用のリボン体５を備えることができる。